(57)【要約】【課題】経時による変化が生じても外れにくいコーナー部材を備えた建具を提供する。【解決手段】室内外の境界に設けられ、縦枠と横枠とが接合された矩形状の窓枠を有する建具であって、矩形状に接合された前記縦枠と前記横枠とが形成するコーナー部を覆うカバー部材を備え、前記カバー部材は、前記縦枠と前記横枠とのうちの一方と係合して見込み方向の移動が規制され、前記縦枠と前記横枠とのうちの他方と係合して上下方の移動が規制されるとともに、当該他方との間に左右方向の移動を規制する移動規制手段を備えている。【選択図】図４
2010163846.tif 000002
【特許請求の範囲】
【請求項１】
室内外の境界に設けられ、縦枠と横枠とが接合された矩形状の窓枠を有する建具であって、
矩形状に接合された前記縦枠と前記横枠とが形成するコーナー部を覆うカバー部材を備え、
前記カバー部材は、前記縦枠と前記横枠とのうちの一方と係合して見込み方向の移動が規制され、
前記縦枠と前記横枠とのうちの他方と係合して上下方向の移動が規制されるとともに、当該他方との間に左右方向の移動を規制する移動規制手段を備えていることを特徴とする建具。
【請求項２】
請求項１に記載の建具であって、
前記縦枠と前記横枠とのうちの前記一方は、矩形状をなす前記窓枠が形成する開口の外側に突出された突出部を備え、
前記他方は、見込み方向における室外側に突出された平板部が内方側に折り返され、前記平板部との間に空隙を形成する折返部を備え、
前記カバー部材は、左右方向に沿って前記他方の端部から中央側に向かって前記空隙に差し込まれる差込部と、前記差込部が差し込まれた際に前記突出部が挿入されるスリットと、を有することを特徴とする建具。
【請求項３】
請求項２に記載の建具であって、
前記折返部は、複数の当該建具を、上下方向または左右方向に並べて配置する際に、隣接する建具を連結するための連結部であることを特徴とする建具。
【請求項４】
請求項２または請求項３に記載の建具であって、
前記移動規制手段は、前記差込部が前記空隙に圧入されて構成されていることを特徴とする建具。
【請求項５】
請求項２または請求項３に記載の建具であって、
前記移動規制手段は、前記差込部に設けられ当該差込部が前記空隙に差し込まれた際に、前記折返部側に突出する爪部と、前記折返部に設けられ前記爪部が係合される被係合部と、で構成されていることを特徴とする建具。
【請求項６】
請求項２または請求項３に記載の建具であって、
前記移動規制手段は、前記差込部が前記空隙に差し込まれた際に、前記折返部と対向する部位に設けられ、前記平板部側へ窪む凹部と、前記空隙に前記差込部が差し込まれた後に、前記凹部に向かって突出されたカシメ部と、で構成されていることを特徴とする建具。
【発明の詳細な説明】
【技術分野】
【０００１】
本発明は、室内外の境界に設けられ、縦枠と横枠とが接合された矩形状の窓枠を有する建具に関する。
【背景技術】
【０００２】
室内外の境界に設けられ、縦枠と横枠とが接合された矩形状の窓枠を有する建具の中には、矩形状の窓枠はコーナー部が尖らないように、縦枠または横枠の端部が円弧状をなすよう加工が施されている建具がある。また、コーナー部を覆うような樹脂製のコーナーカバーを備えた建具も知られている（例えば、特許文献１参照）。このようなコーナーカバーは、略Ｌ字状に形成された板状の正面カバーと、正面カバーの左側面並びに底面に沿うように略直角に設けられた板状の側面カバーとが一体に形成されている。そして正面カバーの裏面側に塗布された接着剤にて框の正面に接着されたり、正面カバーの裏面に設けられた突出部が框に設けられた貫通孔に嵌入されて取り付けられている。
【特許文献１】実開昭５９−１２０２７７号公報
【発明の開示】
【発明が解決しようとする課題】
【０００３】
上記従来のコーナーカバーは、容易に取り付けられるものの、コーナーカバーが框の正面に接着されている場合には、コーナーカバーの自重を接着剤にて支えるため、経時変化等により接着力が低下するとコーナーカバーがはがれ落ちる虞がある。また、正面カバーの突出部が框の貫通孔に嵌入されている場合であっても、経時変化による樹脂の収縮（ひけ）により、突出部が貫通孔から抜けてコーナーカバーが外れる虞があるという課題がある。
【０００４】
本発明は、かかる課題に鑑みてなされたものであり、その目的とするところは、経時による変化が生じても外れにくいコーナー部材を備えた建具を提供することにある。
【課題を解決するための手段】
【０００５】
かかる目的を達成するために本発明の建具は、室内外の境界に設けられ、縦枠と横枠とが接合された矩形状の窓枠を有する建具であって、矩形状に接合された前記縦枠と前記横枠とが形成するコーナー部を覆うカバー部材を備え、前記カバー部材は、前記縦枠と前記横枠とのうちの一方と係合して見込み方向の移動が規制され、前記縦枠と前記横枠とのうちの他方と係合して上下方向の移動が規制されるとともに、当該他方との間に左右方向の移動を規制する移動規制手段を備えていることを特徴とする建具である。
【０００６】
このような建具によれば、縦枠と横枠とが形成するコーナー部を覆うカバー部材は、縦枠と横枠とのうちの一方と係合して見込み方向の移動が、他方と係合して上下方向の移動がそれぞれ規制され、また、左右方向の移動を規制する移動規制部材を備えているので、コーナー部に安定させて取り付けることが可能である。
【０００７】
かかる建具であって、前記縦枠と前記横枠とのうちの前記一方は、矩形状をなす前記窓枠が形成する開口の外側に突出された突出部を備え、前記他方は、見込み方向における室外側に突出された平板部が内方側に折り返され、前記平板部との間に空隙を形成する折返部を備え、前記カバー部材は、左右方向に沿って前記他方の端部から中央側に向かって前記空隙に差し込まれる差込部と、前記差込部が差し込まれた際に前記突出部が挿入されるスリットと、を有することが望ましい。
【０００８】
このような建具によれば、縦枠と横枠とのうちの他方は、見込み方向における室外側に突出された平板部が内方側に折り返され、平板部との間に空隙を形成する折返部を備えており、カバー部材の差込部が空隙に差し込まれてカバー部材の上下方向の移動が規制されるので、カバー部材の自重を、平板部または折返部にて支えることが可能である。このため、カバー部材の自重によりカバー部材に作用する負荷を軽減することが可能である。また、差込部が差し込まれた際に、縦枠と横枠とのうちの一方に設けられた突出部がカバー部材に設けられたスリットに挿入されて見込み方向への移動が規制されるので、差込部を差し込むことにより、上下方向の移動ばかりでなく見込み方向への移動をも規制することが可能である。
【０００９】
かかる建具であって、前記折返部は、複数の当該建具を、上下方向または左右方向に並べて配置する際に、隣接する建具を連結するための連結部であることが望ましい。  
このような建具によれば、折返部は、縦枠または横枠に予め設けられているので、カバー部材を設けるためだけに枠体に加工を施したり、専用の枠体を用意することなくカバー部材を備えることが可能である。
【００１０】
かかる建具であって、前記移動規制手段は、前記差込部が前記空隙に圧入されて構成されていることが望ましい。  
このような建具によれば、簡単な構成にしてカバー部材が外れることを防止することが可能である。
【００１１】
かかる建具であって、前記移動規制手段は、前記差込部に設けられ当該差込部が前記空隙に差し込まれた際に、前記折返部側に突出する爪部と、前記折返部に設けられ前記爪部が係合される被係合部と、で構成されていることが望ましい。  
このような建具によれば、差込部を平板部と折返部の間に形成された空隙に差し込むことにより容易にかつ確実にカバー部材が外れることを防止することが可能である。
【００１２】
かかる建具であって、前記移動規制手段は、前記差込部が前記空隙に差し込まれた際に、前記折返部と対向する部位に設けられ、前記平板部側へ窪む凹部と、前記空隙に前記差込部が差し込まれた後に、前記凹部に向かって突出されたカシメ部と、で構成されていることが望ましい。  
このような建具によれば、カバー部材の折返部と対向する部位に設けられた凹部と、空隙に差込部が差し込まれた後に凹部に向かって突出されたカシメ部とで移動規制部材が構成されているので、カバー部材に凹部を設けておくだけで既存の枠体にも容易に取り付けることが可能である。また、折返部に突出されたカシメ部は、折返部に施した塑性変形なので、より外れにくいカバー部材を備えた建具を提供することが可能である。
【発明の効果】
【００１３】
本発明によれば、経時変化が生じても外れにくいコーナー部材を備えた建具を提供することが可能である。
【発明を実施するための最良の形態】
【００１４】
以下、本発明の一実施形態に係る建具について、図面を参照して説明する。  
本実施の形態に係る建具１は、図１、図２に示すように、ガラス３ａ、３ｂを備えた上げ下げ障子５ａ、５ｂが窓枠７に取り付けられた上げ下げ窓である。ＦＩＸ窓の室外側の縁部は、窓枠７が取り付けられた壁の室外側面より室外側に突出しており、窓枠７の室外側の縁であり下枠１２と縦枠１３、１４とが接合されているコーナー部には、カバー部材２０が設けられている。
【００１５】
以下の説明では、建具１を室外側から見たときに上下となる方向を上下方向、見付け方向であって左右となる方向を左右方向、室内外方向である奥行き方向を見込み方向として示す。また、カバー部材については、カバー部材単体の説明であっても、窓枠に取り付けられた状態にて、上下となる方向を上下方向、左右となる方向を左右方向、室内外方向である奥行き方向を見込み方向として示す。
【００１６】
窓枠７は、上下に位置する横枠としての上枠１１及び下枠１２と、左右に位置する縦枠としての左枠１３及び右枠１４とが矩形状に接合されている。上枠１１、下枠１２、左枠１３、及び、右枠１４は、いずれもアルミニウム製の押出成形部材である。また、窓枠７は、左右に配置された一対の縦枠１３、１４間に上下に配置された横枠１１、１２が挟まれるように固定されている。すなわち、横枠１１、１２の両端部が長手方向と交差する方向に切断され、切断された端縁が、縦枠１３、１４において窓枠７が形成する開口２の中央側に臨む面１３ａ、１４ａに当接されて、ねじ１５にて接合され矩形状をなしている。
【００１７】
本実施形態の窓枠７は、壁面に対し左右方向に建具１を並べて設ける所謂連窓や、壁面に対し上下方向に建具１を並べて設ける所謂段窓に用いられる建具１であるため、隣接する建具１同士を連結するための連結部としての折返部１１ｄ、１２ｄ、１３ｄ、１４ｄが、上枠１１、下枠１２、左枠１３、及び、右枠１４の室外側の縁部に設けられている。具達的には、上枠１１、下枠１２、左枠１３、及び、右枠１４の室外側の部位は、壁面と直交して見込み方向に沿う面、すなわち、矩形状に接合された窓枠７が形成する開口２の内側に臨む面１１ａ、１２ａ、１３ａ、１４ａを有する平板部１１ｂ、１２ｂ、１３ｂ、１４ｂを有している。そして、上枠１１、下枠１２、左枠１３、及び、右枠１４が有する各平板部１１ｂ、１２ｂ、１３ｂ、１４ｂの室外側の縁は、開口２の外側に向かってほぼ直角に折り曲げられて室外に臨む室外露出壁部１１ｃ、１２ｃ、１３ｃ、１４ｃが形成されており、室外露出壁部１１ｃ、１２ｃ、１３ｃ、１４ｃの先端には、平板部１１ｂ、１２ｂ、１３ｂ、１４ｂと間隔を隔ててほぼ平行に折り返された折返部１１ｄ、１２ｄ、１３ｄ、１４ｄが形成されている。このため、上枠１１、下枠１２、左枠１３、及び、右枠１４の室外側の部位には、平板部１１ｂ、１２ｂ、１３ｂ、１４ｂと折返部１１ｄ、１２ｄ、１３ｄ、１４ｄとの間に空隙１１ｅ、１２ｅ、１３ｅ、１４ｅが長手方向の全長に渡って形成されている。
【００１８】
すなわち、上枠１１、下枠１２、左枠１３、及び、右枠１４が矩形状に接合された窓枠７には全周に渡って、平板部１１ｂ、１２ｂ、１３ｂ、１４ｂから開口２の外方に向かって室外露出壁部１１ｃ、１２ｃ、１３ｃ、１４ｃ及び折返部１１ｄ、１２ｄ、１３ｄ、１４ｄが突出しており、平板部１１ｂ、１２ｂ、１３ｂ、１４ｂと折返部１１ｄ、１２ｄ、１３ｄ、１４ｄとの間に空隙１１ｅ、１２ｅ、１３ｅ、１４ｅが設けられている。
【００１９】
窓枠７の室外側にて下枠１２と縦枠１３、１４とが接合されたコーナー部に設けられるカバー部材２０は、平板部１２ｂ、１３ｂ、１４ｂ、室外露出壁部１２ｃ、１３ｃ、１４ｃ、折返部１２ｄ、１３ｄ、１４ｄ及び空隙１２ｅ、１３ｅ、１４ｅを利用して取り付けられている。
【００２０】
カバー部材２０は、窓枠７の室外側における左右の下側のコーナー部にそれぞれ設けられている樹脂製の部材であるが、左右のカバー部材２０は左右が反転している以外は同様なので、ここでは、室外側から見て窓枠７の右下に位置するコーナー部に設けられたカバー部材２０を例に挙げて、カバー部材２０及びカバー部材２０の取り付け構造について説明する。
【００２１】
右側のカバー部材２０は、図２〜図４に示すように、右枠１４の右側にて、下枠１２と右枠１４との接合部であるコーナー部を覆って右枠１４と係合する縦側覆い部２１と、下枠１２と係合する下側係合部２６とを有している。
【００２２】
縦側覆い部２１は、窓枠７に取り付けられた状態で、右枠１４において開口２の外側に突出する突出部としての室外露出壁部１４ｃ及び折返部１４ｄが挿入されるスリット２２ａを有する突出部覆い部２２と突出部覆い部２２の室内側に繋がって設けられ右枠１４の平板部１４ｂに当接される縦枠当接部２３とを有している。
【００２３】
突出部覆い部２２は、スリット２２ａに挿入された室外露出壁部１４ｃ及び折返部１４ｄを右側から囲むように形成されており、下端部は室外露出壁部１４ｃ及び折返部１４ｄの下端より下方にてスリット２２ａが塞がれている。また、突出部覆い部２２のスリット２２ａより室外側の部位は、右枠１４の室外露出壁部１４ｃに沿うように配置され、右枠１４の平板部１４ｂの開口２に臨む面１４ａとほぼ面一になる位置まで延出されている。
【００２４】
下側係合部２６は、下枠１２の平板部１２ｂと折返部１２ｄとの間の空隙１２ｅに差し込まれる差込部２７と、差込部２７の室内側に繋がって設けられ下枠１２の平板部１２ｂに当接される下枠当接部２８とを備えている。本実施形態のカバー部材２０は、下枠１２の空隙１２ｅに差込部２７が圧入されて保持されるように、差込部２７には、差込部２７の上下方向の厚みが平板部１２ｂと折返部１２ｄとの間隔より僅かに厚くなるようなリブ２７ａが設けられている。リブ２７ａには、差込方向の先端側から縦側覆い部２１に向かって上下方向の厚みが厚くなるような傾斜２７ｂが設けられている。
【００２５】
右側のカバー部材２０は、下枠１２と右枠１４とが接合されたコーナー部の右側から、下枠１２の長手方向に沿って、差込部２７を下枠１２の平板部１２ｂと折返部１２ｄとの間の空隙１２ｅに差し込むようにして取り付けられる。差込部２７を下枠１２の平板部１２ｂと折返部１２ｄとの間に差し込んでいくと、リブ２７ａの傾斜２７ｂによって平板部１２ｂと折返部１２ｄとの間が押し広げられて圧入された状態となり、下枠１２にカバー部材２０が保持される。このとき、下枠当接部２８の上面２８ａは下枠１２の平板部１２ｂの下面に当接される。また、カバー部材２０は、下枠１２の折返部１２ｄに載置された状態となるので、カバー部材２０の自重は、折返部１２ｄにより支持される。
【００２６】
カバー部材２０を下枠１２に沿って差し込んでいくと、右枠１４の平板部１４ｂより開口２の外方に向かって突出された右枠１４の室外露出壁部１４ｃ及び折返部１４ｄが、突出部覆い部２２のスリット２２ａに挿入される。そして、縦枠当接部２３が右枠１４の平板部１４ｂに当接されるまで差し込まれた状態でカバー部材２０の取り付けが完了する。
【００２７】
すなわち、本実施形態では、縦枠としての右枠１４と横枠としての下枠１２とのうちの一方である右枠１４の突部としての室外露出壁部１４ｃ及び折返部１４ｄが、カバー部材２０のスリット２２ａに挿入されてカバー部材２０の見込み方向の移動が規制されている。また、縦枠としての右枠１４と横枠としての下枠１２とのうちの他方である下枠１２の
平板部１２ｂと折返部１２ｄとの間の空隙１２ｅに、カバー部材２０の差込部２７が差し込まれてカバー部材２０の上下方の移動が規制されている。
【００２８】
そして、カバー部材２０の差込部２７が下枠１２の平板部１２ｂと折返部１２ｄとの間の空隙１２ｅに差し込まれて圧入状態となり保持される構成が、下枠１２とカバー部材２０との間に備えられた、カバー部材２０の左右方向の移動を規制する移動規制手段の一例である。
【００２９】
本実施形態の建具１によれば、右枠１４と下枠１２とが形成するコーナー部を覆うカバー部材２０は、右枠１４の室外露出壁部１４ｃ及び折返部１４ｄと係合して見込み方向の移動が、下枠１２の平板部１２ｂと折返部１２ｄと係合して上下方向の移動がそれぞれ規制され、また、左右方向の移動を規制すべく圧入されているので、カバー部材２０をコーナー部に安定させて取り付けることが可能である。また、見込み方向の移動が縦枠と横枠とのうちの一方と係合して規制され、上下方向の移動が縦枠と横枠とのうちの他方と係合して規制されている。具体的には、見込み方向の移動が右枠１４の室外露出壁部１４ｃ及び折返部１４ｄと係合して規制され、上下方向の移動が下枠１２の平板部１２ｂと折返部１２ｄと係合して規制されている。このため、見込み方向及び上下方向の移動を規制する部材が、右枠１４と下枠１２とに分かれており右枠１４（縦枠）または下枠１２（横枠）の一方に集中せず、また、カバー部材２０に外力が作用する場合にも一カ所に集中しないので、経時により収縮や劣化が発生したとしても、容易に外れないカバー部材２０を備えた建具１を提供することが可能である。
【００３０】
また、差込部２７が空隙１２ｅに差し込まれたカバー部材２０は、下枠１２の折返部１２ｄに支持されているので、カバー部材２０の自重を、下枠１２にて支えることが可能である。このため、カバー部材２０の自重によりカバー部材２０に作用する負荷を軽減することが可能である。また、差込部２７が差し込まれた際に、右枠１４の室外露出壁部１４ｃ及び折返部１４ｄがカバー部材２０に設けられたスリット２２ａに挿入されて見込み方向への移動が規制されるので、差込部２７を差し込むことにより、上下方向の移動ばかりでなく見込み方向への移動をも規制することが可能である。
【００３１】
また、折返部１２ｄ、１４ｄは、下枠１２及び右枠１４に予め設けられているので、カバー部材２０を設けるためだけに窓枠７に加工を施したり、専用の窓枠を用意することなくカバー部材２０を備えることが可能であり、既に取り付けられている既存の窓枠にもカバー部材２０を取り付けることが可能である。
【００３２】
また、移動規制手段を、カバー部材２０の差込部２７が下枠１２の平板部１２ｂと折返部１２ｄとの間の空隙１２ｅに差し込まれて圧入状態となり保持される構成としたので、差込部２７が空隙１２ｅに圧入されることにより、簡単な構成にてカバー部材２０が外れ難い構成とすることが可能である。
【００３３】
上記実施形態においては、移動規制手段を、差込部２７が空隙１２ｅに圧入される構成にて実現する例について説明したが、これに限るものではない。以下の説明においては、上記実施形態と同様の部位及び部材については同符号を付して説明を省略する。カバー部材２０の第１変形例としては、例えば、図５、図６に示すように、カバー部材２０が差込部２７に設けられ当該差込部２７が空隙１２ｅに差し込まれた際に、下枠１２の折返部１２ｄ側に突出する爪部２４を有し、下枠１２の折返部１２ｄに爪部２４が係合される被係合部１２ｆを設け、カバー部材２０を差し込むことにより、爪部２４が被係合部１２ｆと係合してカバー部材２０の左右方向の移動が規制されるような移動規制手段を備えていてもよい。
【００３４】
このような建具１によれば、差込部２７を空隙１２ｅに差し込むことにより折返部１２ｄの被係合部１２ｆと係合される爪部２４を備えているので、カバー部材２０を空隙１２ｅに差し込むだけで容易にかつ確実にカバー部材２０が外れることを防止することが可能である。尚、爪部２４は上下方向に弾性変形可能に形成されており、爪部２４が被係合部１２ｆに対して係脱自在に構成されている。
【００３５】
また、カバー部材２０の第２変形例としては、例えば、図７に示すように、差込部２７に、当該差込部２７が空隙１２ｅに差し込まれた際に、下枠１２の折返部１２ｄと対向する部位に、平板部１２ｂ側へ窪む凹部２５を設けておき、空隙１２ｅに差込部２７が差し込まれた後に、凹部２５に向かって折返部１２ｄにカシメ加工を施してカシメ部１２ｇを形成することにより折返部１２ｄを凹部２５側に突出させて、カバー部材２０の左右方向の移動が規制されるような移動規制手段を備えていてもよい。
【００３６】
このような建具１によれば、カバー部材２０に凹部２５を設けておくだけで既存の窓枠７にも容易にカバー部材２０を取り付けることが可能である。また、折返部１２ｄに突出されたカシメ部１２ｇは、折返部１２ｄに施した塑性変形なので、より外れにくいカバー部材２０を備えた建具１を提供することが可能である。
【００３７】
また、その他の移動規制手段としては、接着剤や両面テープを用いて、下枠当接部２８の上面２８ａを下枠１２の平板部１２ｂに接着してもよい。
【００３８】
また、カバー部材２０を上方のコーナー部（つまり、上枠１１と縦枠との連結角部）に設けても良い。
【００３９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４０】
【図１】本実施形態に係る建具を室外側から見た外観図である。
【図２】本実施形態に係る建具の右下コーナー部を示す斜視図である。
【図３】カバー部材を示す斜視図である。
【図４】図４（ａ）は、窓枠に取り付けられたカバー部材を示す正面図である。図４（ｂ）は、図４（ａ）のＡ矢視図である。図４（ｃ）は、図４（ａ）のＢ矢視図である。
【図５】カバー部材の第１変形例を説明するための斜視図である。
【図６】図６（ａ）は、第２変形例のカバー部材を示す正面図である。図６（ｂ）は、図６（ａ）のＣ矢視図である。図６（ｃ）は、図６（ａ）のＤ矢視図である。
【図７】カバー部材の第２変形例を説明するための斜視図である。
【符号の説明】
【００４１】
１  建具、２  開口、５  障子、７  窓枠、１１  上枠、１１ｂ  平板部、
１１ｃ  室外露出壁部、１１ｄ  折返部、１１ｅ  空隙、１２  下枠、
１２ｂ  平板部、１２ｃ  室外露出壁部、１２ｄ  折返部、１２ｅ  空隙、
１２ｆ  被係合部、１２ｇ  カシメ部、１３  左枠、１３ｂ  平板部、
１３ｃ  室外露出壁部、１３ｄ  折返部、１３ｅ  空隙、１４  右枠、
１４ｂ  平板部、１４ｃ  室外露出壁部、１４ｄ  折返部、２０  カバー部材、
２２  突出部覆い部、２２ａ  スリット、２４  爪部、２５  凹部、２７  差込部、
２７ａ  リブ
【図１】
2010163846.tif 000003
【図２】
2010163846.tif 000004
【図３】
2010163846.tif 000005
【図４】
2010163846.tif 000006
【図５】
2010163846.tif 000007
【図６】
2010163846.tif 000008
【図７】
2010163846.tif 000009